(57)【要約】【課題】アナログ式メータ画像の指針回動領域の外周に沿って光沢調表示されたリング画像の視覚効果等を向上することができるようにする。【解決手段】画像表示装置２に、指針１６および指針回動領域１７を有するアナログ式メータ画像１５を表示した車両用表示装置であって、指針回動領域１７の外周に沿ってリング画像１８を表示し、リング画像１８を光沢調表示１９とすると共に、リング画像１８の光沢調表示１９における各部の輝度２１を自在に変更可能に構成するようにしている。このように、光沢調表示１９されたリング画像１８における各部の輝度２１を変更することにより、光沢調表示１９に多彩な視覚効果を付与することができる。例えば、光沢調表示１９をより高級感のあるものなどとすることができる。【選択図】        図１
2004157434.tif 000002
【特許請求の範囲】
【請求項１】
画像表示装置に、指針および指針回動領域を有するアナログ式メータ画像を表示した車両用表示装置であって、
前記指針回動領域の外周に沿ってリング画像を表示し、該リング画像を光沢調表示とすると共に、リング画像の光沢調表示における各部の輝度を自在に変更可能に構成したことを特徴とする車両用表示装置。
【請求項２】
光沢調表示されたリング画像における指針が現示している部分を、視認し易い輝度に自動的に変更可能に構成したことを特徴とする請求項１記載の車両用表示装置。
【請求項３】
光沢調表示されたリング画像が、高輝度部と中間輝度部と低輝度部との少なくとも３段階の異なる輝度を有し、リング画像の指針が現示している部分の輝度が視認し易い高輝度部または中間輝度部となるように構成したことを特徴とする請求項１または２記載の車両用表示装置。
【請求項４】
リング画像の高輝度部と中間輝度部と低輝度部とが、相互に一定の位置関係を保持してリング画像上を移動するよう構成したことを特徴とする請求項１ないし３のいずれか１項に記載の車両用表示装置。
【請求項５】
複数のリング画像の光沢調表示が連動して変るよう構成したことを特徴とする請求項１ないし４のいずれか１項に記載の車両用表示装置。
【発明の詳細な説明】
【０００１】
【発明の属する技術分野】
この発明は、車両用表示装置に関するものである。
【０００２】
【従来の技術】
一般に車両には車室内に車両用表示装置が設けられている。車両用表示装置には、現在、機械式表示装置が多く用いられているが、画像表示装置を採用することも検討されている。
【０００３】
画像表示装置を採用した車両用表示装置としては、特許文献１に記載されているようなものもある。
【０００４】
【特許文献１】
特開平１１−１６０９１号公報
【０００５】
そして、画像表示装置を採用した場合には、表示のデザインやレイアウトを自在に設定できるという利点がある。
【０００６】
【発明が解決しようとする課題】
しかしながら、画像表示装置を有する車両用表示装置において、指針および指針回動領域を有するアナログ式メータ画像を表示し、指針回動領域の外周に沿ってリング画像を表示すると共に、このリング画像を光沢調表示としたものについては先行技術は知られておらず、画像表示装置の持つ多様性が充分に発揮されていないという問題があった。
【０００７】
そこで、本発明の目的は、上記の問題点を解消し、アナログ式メータ画像の指針回動領域の外周に沿って光沢調表示されたリング画像の視覚効果等を向上することのできる車両用表示装置を提供することにある。
【０００８】
【課題を解決するための手段】
上記課題を解決するために、請求項１に記載された発明では、画像表示装置に、指針および指針回動領域を有するアナログ式メータ画像を表示した車両用表示装置であって、前記指針回動領域の外周に沿ってリング画像を表示し、該リング画像を光沢調表示とすると共に、リング画像の光沢調表示における各部の輝度を自在に変更可能に構成した車両用表示装置を特徴としている。
【０００９】
このように構成された請求項１にかかる発明によれば、光沢調表示されたリング画像における各部の輝度を変更することにより、光沢調表示に多彩な視覚効果を付与することができる。例えば、光沢調表示をより高級感のあるものなどとすることができる。
【００１０】
請求項２に記載された発明では、光沢調表示されたリング画像における指針が現示している部分を、視認し易い輝度に自動的に変更可能に構成した請求項１記載の車両用表示装置を特徴としている。
【００１１】
このように構成された請求項２にかかる発明によれば、光沢調表示されたリング画像における指針が現示している部分の輝度を自動的に変更することにより、指針を視認し易いものとすることができる。
【００１２】
請求項３に記載された発明では、光沢調表示されたリング画像が、高輝度部と中間輝度部と低輝度部との少なくとも３段階の異なる輝度を有し、リング画像の指針が現示している部分の輝度が視認し易い高輝度部または中間輝度部となるように構成した請求項１または２記載の車両用表示装置を特徴としている。
【００１３】
このように構成された請求項３にかかる発明によれば、指針が現示している部分の輝度を高輝度部または中間輝度部とすることにより、指針および目盛をより視認し易くすることができる。
【００１４】
請求項４に記載された発明では、リング画像の高輝度部と中間輝度部と低輝度部とが、相互に一定の位置関係を保持してリング画像上を移動するよう構成した請求項１ないし３のいずれか１項に記載の車両用表示装置を特徴としている。
【００１５】
このように構成された請求項４にかかる発明によれば、リング画像の高輝度部と中間輝度部と低輝度部とが、相互に一定の位置関係を保持してリング画像上を移動させることにより、簡単な構成で指針が現示している部分を確実に視認させることができる。
【００１６】
請求項５に記載された発明では、複数のリング画像の光沢調表示が連動して変るよう構成した請求項１ないし４のいずれか１項に記載の車両用表示装置を特徴としている。
【００１７】
このように構成された請求項５にかかる発明によれば、複数のリング画像の光沢調表示を連動して変化させることにより、統一感のある光沢調表示とすることができる。
【００１８】
【発明の実施の形態１】
以下、本発明を具体化した実施の形態について、図示例と共に説明する。
【００１９】
図１〜図３は、この発明の実施の形態１を示すものである。
【００２０】
まず、全体的な構成を説明すると、一般に車両には車室内に表示装置１が設けられている。この実施の形態１では、図１に示すように、表示装置１として機械式表示装置ではなく、画像表示装置２を採用する。画像表示装置２は、表示器に画像を表示させるようにしたものである。画像表示装置２には、例えば、液晶パネル、ＥＬパネル、その他のパネル状画像表示器が含まれる。なお、これらのものは、それぞれ固有の特徴および利点を有しており、目的に応じて使い分けられるものである。これらの画像表示装置２は、直接、または、間接的に視認できるように車室内に設置される。
【００２１】
そして、画像表示装置２の画像表示領域３に、運転情報画像４を表示可能に構成する。運転情報画像４としては、例えば、速度計５、回転計６、距離計７、燃料計８、水温計９等が存在する。また、運転情報画像４として、地形情報等表示部１０や、車間距離情報表示部１１や、シフトレンジ表示部１２等を設けても良い。なお、これらのものは、必ずしも全部が必要という訳ではない。反対に、必要に応じて、これら以外の運転情報画像４を設けることも可能である。
【００２２】
図１では、画像表示領域３の左側部分に速度計５が表示され、右側部分に回転計６が表示されている。速度計５および回転計６はそれぞれ中央に向けて傾斜配置されたかの如き表示とすることにより、立体感や高級感等を出し得るように演出されている。また、速度計５の内部（特に下部）には距離計７が表示されている。画像表示領域３の中央部（特に上部）に燃料計８と水温計９とが表示されている。燃料計８と水温計９とは左右に隣接して表示されている。また、画像表示領域３の中央部（特に下部）に地形情報等表示部１０が表示されている。地形情報等表示部１０には、カーナビゲーション装置の地図データを二次元表示させても３次元表示させても良い。また、地形情報等表示部１０には、実際の風景画像やその他の交通情報などを表示させても良い。地形情報等表示部１０には車間距離情報表示部１１を重ねて表示させても良い。図１では、車間距離情報表示部１１は地形情報等表示部１０のほぼ中央部に表示されている。また、地形情報等表示部１０にはシフトレンジ表示部１２を重ねて表示させても良い。図１では、シフトレンジ表示部１２は地形情報等表示部１０の隅（特に左下縁部）に表示されている。なお、各運転情報画像４の配置はこれに限るものではない。
【００２３】
ここで、例えば、速度計５、回転計６、燃料計８、水温計９はそれぞれアナログ式メータ画像１５となっている。アナログ式メータ画像１５は指針１６および指針回動領域１７を有するものである。また、距離計７、車間距離情報表示部１１はデジタル表示となっている。更に、地形情報等表示部１０、シフトレンジ表示部１２は画像表示となっている。
【００２４】
上記のように、画像表示装置２に、指針１６および指針回動領域１７を有するアナログ式メータ画像１５を表示した構成に対してこの発明では、指針回動領域１７の外周に沿ってリング画像１８を表示する。尚、指針回動領域１７の外周とは、外周周辺部も含み、リング画像は指針の指示先端部と重ねて表示しても、重ねないで表示してもどちらでも良い。そして、リング画像１８を光沢調表示１９とする。ここで、光沢調表示１９とは、光沢を有する素材感を再現した表示を指す。例えば、光沢調表示１９には、金属光沢や、漆調光沢や、表面をクリア処理されたプラスチックが持つプラスチック調光沢や、その他これと同等の光沢が含まれる。なお、これらは、それぞれ固有の特徴および視覚効果を有しており、目的に応じて使い分けられるものである。更に、リング画像１８の光沢調表示１９における各部の輝度２１を自在に変更可能に構成する。光沢調表示１９とするためには、少なくとも高輝度部２２と中間輝度部２３と低輝度部２４の３段階の異なる輝度２１が必要となる。
【００２５】
より具体的には、上記したように、速度計５、回転計６、燃料計８、水温計９はそれぞれ、アナログ式メータ画像１５とされており、それぞれ、別個に指針回動領域１７の外周に沿ってリング画像１８を設ける。なお、必ずしも全てのアナログ式メータ画像１５にリング画像１８を設ける必要はなく、少なくとも、１つのアナログ式メータ画像１５にリング画像１８が設けられていれば良いことは言うまでもない。そして、各リング画像１８を光沢調表示１９とする。更に、このリング画像１８の光沢調表示１９における各部の輝度２１を自在に変更させるようにする。ここでは、速度計５と回転計６のリング画像１８が変更するようにしている。燃料計８、水温計９のリング画像１８は特に、変更されていないが、変更するようにしても良いことは勿論である。
【００２６】
この実施の形態１では、リング画像１８の光沢調表示１９における各部の輝度２１の変更をランダムなものとする。ここで、速度計５、回転計６については、リング画像１８の上に目盛が表示され、指針回動領域１７の中に数値が表示されているが、必ずしもこれに限るものではなく、目盛は燃料計８、水温計９と同様に指針回動領域１７の内部に表示するようにしても良い。反対に、目盛と数値をリング画像１８の上に表示するようにしても良い。
【００２７】
更に、複数のリング画像１８が有る場合に、光沢調表示１９を連動して変るよう構成しても良い。
【００２８】
具体的には、上記したように、速度計５、回転計６、燃料計８、水温計９はそれぞれ、アナログ式メータ画像１５とされており、それぞれ、別個に指針回動領域１７の外周に沿ってリング画像１８を有している。そして、各リング画像１８はそれぞれ個別に変るようにすることも可能である。しかし、この実施の形態１では、これらの各リング画像１８を連動して変るよう構成する。なお、各リング画像１８が、個別に変るか、連動して変るかを選択可能にすることも勿論である。ここでは、速度計５と回転計６のリング画像１８が連動して変るようにしている。燃料計８、水温計９のリング画像１８は特に、連動して変るようにされていないが、連動して変るようにしても良いことは勿論である。
【００２９】
なお、上記したような表示の制御は、図示しない画面制御装置を用いて行わせるようにする。この画面制御装置は、車速信号、回転数信号、走行距離信号、燃料残量信号、水温信号、地形情報等データ、車間距離信号、シフトレンジ検知信号などを入力して、速度計５、回転計６、燃料計８、水温計９の指針１６、および、距離計７、地形情報等表示部１０、車間距離情報表示部１１、シフトレンジ表示部１２の表示をそれぞれ制御する基本機能を備えている。
【００３０】
具体的には、上記画面制御装置は、例えば、固定部表示用データと、可動部表示用データとを合成して表示する基本構成などとする。ここで、可動部表示用データは主として各指針１６を表示するためのデータである。また、可動部表示用データには距離計７、地形情報等表示部１０、車間距離情報表示部１１、シフトレンジ表示部１２を表示するためのデータ等も含まれている。固定部表示用データは、それ以外の固定部分を表示するためのデータである。固定部表示用データには、画像表示領域３の背景画像や指針回動領域１７およびリング画像１８を表示するためのデータを含んでいる。
【００３１】
そして、この実施の形態１では、画面制御装置は、光沢調表示用データを固定部表示用データのリング画像１８の表示に重ねて表示する拡張機能が付加される。ここで、光沢調表示用データは光沢調表示１９を表示するためのデータである。更に、画面制御装置は、光沢調表示用データをランダムに生成したり、変形したりする拡張機能が付加されている。
【００３２】
次に、この実施の形態１の作用について説明する。
【００３３】
図１、図２、図３はそれぞれ、異なる時点（時速０ｋｍ／ｈ、５４ｋｍ／ｈ、１１４ｋｍ／ｈ）における画像表示装置２の運転情報画像４を示している。これらの各図では、速度計５、回転計６、燃料計８、水温計９はそれぞれ、アナログ式メータ画像１５とされており、それぞれ、別個に指針回動領域１７の外周に沿ってリング画像１８を有している。そして、このリング画像１８を光沢調表示１９としている。このように、画像表示装置２に表示したアナログ式メータ画像１５の外周に沿ってリング画像１８を設け、このリング画像１８を光沢調表示１９とすることにより、美観や高級感を得ることができる。
【００３４】
更に、この実施の形態１においては、光沢調表示１９されたリング画像１８における各部の輝度２１を変更することにより、光沢調表示１９に多彩な視覚効果を付与することができる。例えば、光沢調表示１９をより高級感のあるものなどとすることができる。
【００３５】
特に、この実施の形態１では、光沢調表示１９されたリング画像１８を、ランダムに各部の輝度２１を変更させるようにしている。これにより、多彩な表現力を得ることができる。
【００３６】
なお、複数のリング画像１８の光沢調表示１９を連動して変化させるようにすれば、統一感のある光沢調表示とすることができる。
【００３７】
【発明の実施の形態２】
図４〜図６は、この発明を具体化した実施の形態２を示すものである。なお、実施の形態１と同一ないし均等な部分については、同一の符号を付すものとし、説明が省略されている部分については、上記実施形態１の説明に準ずるものとする。
【００３８】
まず、構成を説明すると、画像表示装置２に表示する運転情報画像４の構成は、基本的に実施の形態１のものと同じである。
【００３９】
また、アナログ式メータ画像１５の指針回動領域１７の外周に沿ってリング画像１８を表示し、リング画像１８を光沢調表示１９とすると共に、リング画像１８の光沢調表示１９における各部の輝度２１を自在に変更可能に構成した点については実施の形態１のものと同じである。
【００４０】
上記を達成するめための画面制御装置の基本的な構成についても実施の形態１のものと同じである。
【００４１】
この実施の形態２のものでは、光沢調表示１９されたリング画像１８における指針１６が現示している部分を、視認し易い輝度（易視認輝度部３１）に自動的に変更可能に構成している点に特徴がある。
【００４２】
この際、光沢調表示１９されたリング画像１８は、高輝度部２２と中間輝度部２３と低輝度部２４との少なくとも３段階の異なる輝度２１を有している。そして、リング画像１８の指針１６が現示している部分（易視認輝度部３１）の輝度が視認し易い高輝度部２２または中間輝度部２３となるように構成している点に特徴がある。
【００４３】
具体的には、リング画像１８に重ねて表示した光沢調表示１９は変形も移動もさせずにそのまま固定しておく。そして、指針１６の先端近傍に部分的な高輝度部２２または中間輝度部２３から成る易視認輝度部３１を設ける。図４では、易視認輝度部３１は高輝度部２２とされているが、中間輝度部２３としても、高輝度部２２と中間輝度部２３との混合としても良い。更に、固定された光沢調表示１９に対し、指針１６の表示と易視認輝度部３１の表示とを一緒に動かすようにする。指針１６の表示の動きと易視認輝度部３１の表示の動きとは完全に一致させても、意図的にわざと多少ずらすようにしても良い。ずらすようにする場合には、例えば、指針１６の表示の時計周りまたは反時計周りの動きに対して、易視認輝度部３１の表示の時計周りまたは反時計周りの動きを先行させるようにして加速感や減速感を際立たせるように演出することもできる。
【００４４】
そのために、この実施の形態２では、画面制御装置は、光沢調表示用データを固定部表示用データのリング画像１８の表示に重ねて表示する拡張機能を有すると共に、画面制御装置は部分的な易視認輝度部３１の表示のデータを光沢調表示１９に重ねて表示する拡張機能を付加している。また、光沢調表示１９に重ねた部分的な易視認輝度部３１の表示のデータを指針１６の動きと同調させて移動させる拡張機能を付加している。
【００４５】
なお、指針１６の表示の動きと易視認輝度部３１の表示の動きとを完全に一致させる場合には、可動部表示用データの各指針１６を表示するためのデータに、部分的な易視認輝度部３１の表示のデータを持たせるように構成して、機能の簡略化を図るようにしても良い。
【００４６】
ここでは、速度計５と回転計６の少なくとも一方（図では速度計５となっている）のリング画像１８の光沢調表示１９における指針１６の現示部分が易視認輝度部３１となるようにしている。燃料計８、水温計９のリング画像１８は特に、指針１６の現示部分の光沢調表示１９が易視認輝度部３１となるようにはされていないが、易視認輝度部３１となるようにしても良いことは勿論である。
【００４７】
更に、複数のリング画像１８の光沢調表示１９が連動して変るよう構成し得ることも実施の形態１のものと同じである。
【００４８】
例えば、速度計５と回転計６の一方を主、他方を従として、主側（図では速度計５を主としている）のリング画像１８の光沢調表示１９における指針１６の現示部分が易視認輝度部３１となるように、従側のリング画像１８の光沢調表示１９を連動して変化させても良い。燃料計８、水温計９のリング画像１８の光沢調表示１９は特に、連動して変るようにされていないが、連動して変るようにしても良いことは勿論である。
【００４９】
次に、この実施の形態２の作用について説明する。
【００５０】
図４、図５、図６はそれぞれ、異なる時点（時速０ｋｍ／ｈ、７２ｋｍ／ｈ、１２４ｋｍ／ｈ）における画像表示装置２の運転情報画像４を示している。これらの各図では、速度計５、回転計６、燃料計８、水温計９はそれぞれ、アナログ式メータ画像１５とされており、それぞれ、別個に指針回動領域１７の外周に沿ってリング画像１８を有している。そして、このリング画像１８を光沢調表示１９としている。このように、画像表示装置２に表示したアナログ式メータ画像１５の外周に沿ってリング画像１８を設け、このリング画像１８を光沢調表示１９とすることにより、美観や高級感を得ることができる。
【００５１】
そして、図４、図５、図６のそれぞれで、速度計５におけるリング画像１８の光沢調表示１９はどれも同じになっている。また、回転計６におけるリング画像１８の光沢調表示１９はどれも同じになっている。なお、速度計５におけるリング画像１８の光沢調表示１９と回転計６におけるリング画像１８の光沢調表示１９とはデザインを一致させても良いが、特に一致させる必要はない。そして、速度計５の光沢調表示１９における指針１６の先端近傍（現示部分）が易視認輝度部３１に変化されている。
【００５２】
そして、速度計５におけるリング画像１８の光沢調表示１９の易視認輝度部３１と連動して、回転計６におけるリング画像１８の光沢調表示１９の易視認輝度部３１が変化されている。
【００５３】
この実施の形態２によれば、実施の形態１と同様に、光沢調表示１９されたリング画像１８における各部の輝度２１を変更することにより、光沢調表示１９に多彩な視覚効果を付与することができる。例えば、光沢調表示１９をより高級感のあるものなどとすることができる。
【００５４】
また、複数のリング画像１８の光沢調表示１９を連動して変化させることにより、統一感のある光沢調表示とすることができる。
【００５５】
更に、この実施の形態２によれば、光沢調表示１９されたリング画像１８における指針１６が現示している部分の輝度２１を自動的に変更することにより、指針１６を視認し易いものとすることができる。
【００５６】
特に、指針１６が現示している部分の輝度２１を高輝度部２２または中間輝度部２３とすることにより、指針１６および目盛をより視認し易くすることができる。
【００５７】
【発明の実施の形態３】
図７〜図９は、この発明を具体化した実施の形態３を示すものである。なお、実施の形態１および２と同一ないし均等な部分については、同一の符号を付すものとし、説明が省略されている部分については、上記実施の形態１または２の説明に準ずるものとする。
【００５８】
まず、構成を説明すると、画像表示装置２に表示する運転情報画像４の構成は、基本的に実施の形態１または２のものと同じである。
【００５９】
また、アナログ式メータ画像１５の指針回動領域１７の外周に沿ってリング画像１８を表示し、リング画像１８を光沢調表示１９とすると共に、リング画像１８の光沢調表示１９における各部の輝度２１を自在に変更可能に構成した点については実施の形態１または２のものと同じである。
【００６０】
上記を達成するめための画面制御装置の基本的な構成についても実施の形態１または２のものと同じである。
【００６１】
更に、光沢調表示１９されたリング画像１８における指針１６が現示している部分を、視認し易い輝度２１に自動的に変更可能に構成している点については実施の形態２のものと同じである。
【００６２】
また、光沢調表示１９されたリング画像１８が、高輝度部２２と中間輝度部２３と低輝度部２４との少なくとも３段階の異なる輝度２１を有し、リング画像１８の指針１６が現示している部分の輝度２１が視認し易い高輝度部２２または中間輝度部２３となるように構成している点については実施の形態２のものと同じである。
【００６３】
この実施の形態３のものでは、リング画像１８の高輝度部２２と中間輝度部２３と低輝度部２４とが、相互に一定の位置関係を保持してリング画像１８上を移動するよう構成した点に特徴がある。
【００６４】
具体的には、リング画像１８に重ねて表示した光沢調表示１９を、そのままの状態で変形させずにリング画像１８の周方向に回転移動させるようにする。
【００６５】
そのために、この実施の形態３では、画面制御装置は、光沢調表示用データを固定部表示用データのリング画像１８の表示に重ねて表示する拡張機能を有すると共に、画面制御装置は光沢調表示用データを指針１６の動きと同調させて回転移動させる拡張機能を付加している。
【００６６】
ここでは、速度計５と回転計６の少なくとも一方（図では速度計５となっている）のリング画像１８の光沢調表示１９における指針１６の現示部分が易視認輝度部３１となるように光沢調表示１９全体を回転させている。燃料計８、水温計９のリング画像１８については特に、指針１６の現示部分の光沢調表示１９が易視認輝度部３１となるようにはされていないが、易視認輝度部３１となるようにしても良いことは勿論である。
【００６７】
更に、複数のリング画像１８の光沢調表示１９が連動して変るよう構成し得ることも実施の形態１または２のものと同じである。
【００６８】
例えば、速度計５と回転計６の一方を主、他方を従として、主側（図では速度計５を主としている）のリング画像１８の光沢調表示１９の回転に連動させて、従側のリング画像１８の光沢調表示１９を回転させても良い。燃料計８、水温計９のリング画像１８の光沢調表示１９は特に、連動して回転するようにされていないが、連動して回転するようにしても良いことは勿論である。
【００６９】
次に、この実施の形態３の作用について説明する。
【００７０】
図７、図８、図９はそれぞれ、異なる時点（時速０ｋｍ／ｈ、５４ｋｍ／ｈ、１１４ｋｍ／ｈ）における画像表示装置２の運転情報画像４を示している。これらの各図では、速度計５、回転計６、燃料計８、水温計９はそれぞれ、アナログ式メータ画像１５とされており、それぞれ、別個に指針回動領域１７の外周に沿ってリング画像１８を有している。そして、このリング画像１８を光沢調表示１９としている。このように、画像表示装置２に表示したアナログ式メータ画像１５の外周に沿ってリング画像１８を設け、このリング画像１８を光沢調表示１９とすることにより、美観や高級感を得ることができる。
【００７１】
そして、図７、図８、図９のそれぞれにつき、速度計５におけるリング画像１８の光沢調表示１９は、どれも同じものがリング画像１８の周方向に回転した状態となっている。また、回転計６におけるリング画像１８の光沢調表示１９は、どれも同じものがリング画像１８の周方向に回転した状態となっている。なお、速度計５におけるリング画像１８の光沢調表示１９と回転計６におけるリング画像１８の光沢調表示１９とはデザインを一致させても良いが、特に一致させる必要はない。そして、速度計５の光沢調表示１９における指針１６の先端近傍（現示部分）が易視認輝度部３１に変化されている。
【００７２】
そして、速度計５におけるリング画像１８の光沢調表示１９と連動して、回転計６におけるリング画像１８の光沢調表示１９が回転されている。
【００７３】
この実施の形態３によれば、実施の形態１または２と同様に、光沢調表示１９されたリング画像１８における各部の輝度２１を変更することにより、光沢調表示１９に多彩な視覚効果を付与することができる。例えば、光沢調表示１９をより高級感のあるものなどとすることができる。
【００７４】
また、複数のリング画像１８の光沢調表示１９を連動して変化させることにより、統一感のある光沢調表示とすることができる。
【００７５】
更に、この実施の形態３によれば、実施の形態２と同様に、光沢調表示１９されたリング画像１８における指針１６が現示している部分の輝度２１を自動的に変更することにより、指針１６を視認し易いものとすることができる。
【００７６】
特に、指針１６が現示している部分の輝度２１を高輝度部２２または中間輝度部２３とすることにより、指針１６および目盛をより視認し易くすることができる。
【００７７】
加えて、この実施の形態３によれば、リング画像１８の高輝度部２２と中間輝度部２３と低輝度部２４とが、相互に一定の位置関係を保持してリング画像１８上を移動させることにより、簡単な構成で指針１６が現示している部分を確実に視認させることができる。
【００７８】
以上、この発明の実施の形態を図面により詳述してきたが、各実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００７９】
【発明の効果】
以上説明してきたように、請求項１の発明によれば、光沢調表示されたリング画像における各部の輝度を変更することにより、光沢調表示に多彩な視覚効果を付与することができる。例えば、光沢調表示をより高級感のあるものなどとすることができる。
【００８０】
請求項２の発明によれば、光沢調表示されたリング画像における指針が現示している部分の輝度を自動的に変更することにより、指針を視認し易いものとすることができる。
【００８１】
請求項３の発明によれば、指針が現示している部分の輝度を高輝度部または中間輝度部とすることにより、指針および目盛をより視認し易くすることができる。
【００８２】
請求項４の発明によれば、リング画像の高輝度部と中間輝度部と低輝度部とが、相互に一定の位置関係を保持してリング画像上を移動させることにより、簡単な構成で指針が現示している部分を確実に視認させることができる。
【００８３】
請求項５の発明によれば、複数のリング画像の光沢調表示を連動して変化させることにより、統一感のある光沢調表示とすることができる、という実用上有益な効果を発揮し得る。
【図面の簡単な説明】
【図１】本発明の実施の形態１の平面図である。
【図２】図１の中速時の変化の様子を示す図である。
【図３】図１の高速時の変化の様子を示す図である。
【図４】本発明の実施の形態２の平面図である。
【図５】図４の中速時の変化の様子を示す図である。
【図６】図４の高速時の変化の様子を示す図である。
【図７】本発明の実施の形態３の平面図である。
【図８】図７の中速時の変化の様子を示す図である。
【図９】図７の高速時の変化の様子を示す図である。
【符号の説明】
２    画像表示装置
１５  アナログ式メータ画像
１６  指針
１７  指針回動領域
１８  リング画像
１９  光沢調表示
２１  輝度
２２  高輝度部
２３  中間輝度部
２４  低輝度部
【図１】
2004157434.tif 000003
【図２】
2004157434.tif 000004
【図３】
2004157434.tif 000005
【図４】
2004157434.tif 000006
【図５】
2004157434.tif 000007
【図６】
2004157434.tif 000008
【図７】
2004157434.tif 000009
【図８】
2004157434.tif 000010
【図９】
2004157434.tif 000011